(57)【要約】【課題】  画像形成装置の使用環境に合わせて不揮発性メモリに対するパラメータデータの設定を容易に行うことができるようにした画像形成装置およびパラメータ制御方法およびパラメータ制御プログラムを提供する。【解決手段】  プリセット領域２０１に格納された複数のパラメータからなる初期データセットから所望の初期データセットを選択してパラメータを作業領域２０５に展開する。展開されたパラメータをカスタマイズして所望のパラメータに設定し、変更されたパラメータをプリセット領域の書き換え可能な領域に保存する。【選択図】図２
2006076009.tif 000002
【特許請求の範囲】
【請求項１】
不揮発性メモリに設定されたパラメータデータを参照して画像形成処理を行う画像形成装置において、
複数のパラメータデータのデータセットを記憶するプリセット領域を有する記憶手段と、
前記記憶手段のプリセット記憶領域に記憶された前記複数のデータセットの中の所望のパラメータデータを指定する指定手段と、
前記指定手段で指定されたパラメータデータを前記不揮発性メモリに設定する設定手段と
を具備すること特徴とする画像形成装置。
【請求項２】
前記不揮発性メモリに設定されたパラメータデータを編集する編集手段と、
前記編集手段で編集されたパラメータデータを前記記憶手段のプリセット領域に保存する保存制御手段と
を更に具備することを特徴とする請求項１記載の画像形成装置。
【請求項３】
前記編集手段により編集されたパラメータデータで前記記憶手段のプリセット領域に記憶されたパラメータデータを更新する更新制御手段
を更に具備する
ことを特徴とする請求項２記載の画像形成装置。
【請求項４】
前記更新制御手段は、
所定のタイミングで前記記憶手段のプリセット領域に記憶されたパラメータデータを更新する
ことを特徴とする請求項３記載の画像形成装置。
【請求項５】
前記指定手段は、
前記プリセット領域に設けられたインデックス情報格納領域に記憶されたインデックス情報を書き換えることにより前記パラメータデータの指定を行う
ことを特徴とする請求項１乃至４のいずれかに記載の画像形成装置。
【請求項６】
前記指定手段は、
前記不揮発性メモリに設けられたインデックス情報格納領域に記憶されたインデックス情報を書き換えることにより前記パラメータデータの指定を行う
ことを特徴とする請求項１乃至４のいずれかに記載の画像形成装置。
【請求項７】
前記記憶手段のプリセット記憶領域に記憶された複数のデータセットは書換不可に設定されたパラメータデータと書換可能に設定されたパラメータデータとを含む
ことを特徴とする請求項１乃至６のいずれかに記載の画像形成装置。
【請求項８】
前記書換可能に設定されたパラメータデータは、
外部端末から書き換え可能である
ことを特徴とする請求項７記載の画像形成装置。
【請求項９】
画像形成処理に参照されるパラメータデータを制御するパラメータ制御方法において、
前記パラメータデータの複数のデータセットを記憶手段プリセット領域に記憶し、
前記記憶手段のプリセット記憶領域に記憶された前記複数のデータセットの中の所望のパラメータデータを指定手段で指定し、
前記指定手段で指定されたパラメータデータを設定手段で不揮発性メモリに設定し、
前記設定手段により不揮発性メモリに設定されたパラメータデータが編集手段により編集された場合は、該編集手段で編集されたパラメータデータを前記記憶手段のプリセット領域に保存制御手段により保存する
ことを特徴とするパラメータ制御方法。
【請求項１０】
画像形成処理に参照されるパラメータデータを制御するパラメータ制御をコンピュータにより実行させるパラメータ制御プログラムであって、
前記パラメータデータの複数のデータセットを記憶する記憶手段のプリセット記憶領域から所望のパラメータデータを指定する第１のステップと、
前記第１のステップで指定されたパラメータデータを不揮発性メモリに設定する第２のステップと、
前記第２のステップにより不揮発性メモリに設定されたパラメータデータを編集する第３のステップと、
前記第３のステップで編集されたパラメータデータを前記プリセット領域に保存する第４のステップと
を含むことを特徴とするパラメータ制御プログラム。
【発明の詳細な説明】
【技術分野】
【０００１】
本発明は、画像形成装置およびパラメータ制御方法およびパラメータ制御プログラムに関し、特に、不揮発性メモリに対するパラメータの設定作業の軽減を図った画像形成装置およびパラメータ制御方法およびパラメータ制御プログラムに関する。
【背景技術】
【０００２】
一般に、プリンタなどの画像形成装置の制御を行うに際に参照される複数のパラメータは、該画像形成装置に設けられた不揮発性メモリ（以下、「ＮＶＲＡＭ」（Non Volatile RAM）という）に格納されており、画像形成装置のユーザインタフェースである操作パネルやホストコンピュータにより設定された情報である設定変更ジョブ等を受信することによってユーザの使用環境にカスタマイズされたパラメータの設定を行うことが可能となっている。
【０００３】
しかしながら、近年の画像形成装置の多機能化が進むにつれて装置の設置時に変更するパラメータの数が膨大な量にのぼり、保守や管理が複雑化している。また、多機能化と同時に装置の小型化も進み、これによって装置の移動が容易になったことを受けて以前よりも頻繁に移動を行うようになっている。この移動が接続環境の変更を意味し、新たなパラメータの設定を行う必要がある。
【０００４】
また、上記画像形成装置のＮＶＲＡＭに格納された複数のパラメータの初期値は、該画像形成装置の制御プログラム内に組み込まれた一種類のパラメータデータセットとして読み出し専用メモリに格納されており、そのパラメータデータセットによりユーザの使用環境にカスタマイズされたパラメータを初期化することが可能である。
【０００５】
しかし、このように制御プログラム内に組み込まれたパラメータデータセットを一種類しか保持しない場合に、例えば、複数の国に出荷販売する場合にその国ごとに異なる操作言語や用紙サイズなどのパラメータのデータセットを組み込んだ制御プログラムを個々に開発しなければならない。
【０００６】
以上のことから解るように、複数のパラメータの設定を行う必要があるため、多くの時間を要し、設定ミスなどが起こりやすくなる。さらに制御プログラムを個々に開発しなければならないことから開発コストがかかり生産効率が低下するという問題がある。
【０００７】
特許文献１に開示された従来技術においては、プリンタに設けられるＥＥＰＲＯＭ（Electronically Erasable and Programmable Read Only Memory：不揮発性メモリ）のような不揮発性メモリであってその不揮発性メモリ（ＮＶＲＡＭ）は種々のプロファイルパラメータやインク情報を含む１つ以上の記録ヘッドの測定結果を格納することができる。この情報はホストコンピュータに送信され、その情報をホストコンピュータはプリントのための画像情報を生成するために用いることができる。
【特許文献１】特開平１１−２２７１８２
【発明の開示】
【発明が解決しようとする課題】
【０００８】
しかしながら、特許文献１に示された従来技術においては、不揮発性メモリ（ＮＶＲＡＭ）に種々のプロファイルパラメータなどの複数の情報を画像情報生成のために格納しておくことができるが、画像情報生成の要求ごとに異なるプロファイルパラメータを設定することができないばかりでなく、ユーザによるプロファイルパラメータなどの情報を自由に書き換えることができないという問題がある。
【０００９】
そこで、本発明は、画像形成装置の使用環境に合わせて不揮発性メモリに対するパラメータデータの設定を容易に行うことができるようにした画像形成装置およびパラメータ制御方法およびパラメータ制御プログラムを提供することを目的とする。
【課題を解決するための手段】
【００１０】
上記目的を達成するため、請求項１の発明は、不揮発性メモリに設定されたパラメータデータを参照して画像形成処理を行う画像形成装置において、複数のパラメータデータのデータセットを記憶するプリセット領域を有する記憶手段と、前記記憶手段のプリセット記憶領域に記憶された前記複数のデータセットの中の所望のパラメータデータを指定する指定手段と、前記指定手段で指定されたパラメータデータを前記不揮発性メモリに設定する設定手段とを具備すること特徴とする。
【００１１】
また、請求項２の発明は、請求項１の発明において、前記不揮発性メモリに設定されたパラメータデータを編集する編集手段と、前記編集手段で編集されたパラメータデータを前記記憶手段のプリセット領域に保存する保存制御手段とを更に具備することを特徴とする。
【００１２】
また、請求項３の発明は、請求項２の発明において、前記編集手段により編集されたパラメータデータで前記記憶手段のプリセット領域に記憶されたパラメータデータを更新する更新制御手段を更に具備することを特徴とする。
【００１３】
また、請求項４の発明は、請求項３の発明において、前記更新制御手段は、所定のタイミングで前記記憶手段のプリセット領域に記憶されたパラメータデータを更新することを特徴とする。
【００１４】
また、請求項５の発明は、請求項１乃至４の発明において、前記指定手段は、前記プリセット領域に設けられたインデックス情報格納領域に記憶されたインデックス情報を書き換えることにより前記パラメータデータの指定を行うことを特徴とする。
【００１５】
また、請求項６の発明は、請求項１乃至４の発明において、前記指定手段は、前記不揮発性メモリに設けられたインデックス情報格納領域に記憶されたインデックス情報を書き換えることにより前記パラメータデータの指定を行うことを特徴とする。
【００１６】
また、請求項７の発明は、請求項１乃至６の発明において、前記記憶手段のプリセット記憶領域に記憶された複数のデータセットは書換不可に設定されたパラメータデータと書換可能に設定されたパラメータデータとを含むことを特徴とする。
【００１７】
また、請求項８の発明は、請求項７の発明において、前記書換可能に設定されたパラメータデータは、外部端末から書き換え可能であることを特徴とする。
【００１８】
また、請求項９の発明は、画像形成処理に参照されるパラメータデータを制御するパラメータ制御方法において、前記パラメータデータの複数のデータセットを記憶手段プリセット領域に記憶し、前記記憶手段のプリセット記憶領域に記憶された前記複数のデータセットの中の所望のパラメータデータを指定手段で指定し、前記指定手段で指定されたパラメータデータを設定手段で不揮発性メモリに設定し、前記設定手段により不揮発性メモリに設定されたパラメータデータが編集手段により編集された場合は、該編集手段で編集されたパラメータデータを前記記憶手段のプリセット領域に保存制御手段により保存することを特徴とする。
【００１９】
また、請求項１０の発明は、画像形成処理に参照されるパラメータデータを制御するパラメータ制御をコンピュータにより実行させるパラメータ制御プログラムであって、前記パラメータデータの複数のデータセットを記憶する記憶手段のプリセット記憶領域から所望のパラメータデータを指定する第１のステップと、前記第１のステップで指定されたパラメータデータを不揮発性メモリに設定する第２のステップと、前記第２のステップにより不揮発性メモリに設定されたパラメータデータを編集する第３のステップと、前記第３のステップで編集されたパラメータデータを前記プリセット領域に保存する第４のステップとを含むことを特徴とする。
【発明の効果】
【００２０】
本発明によれば、パラメータデータの複数のデータセットを記憶手段プリセット領域に記憶し、記憶手段のプリセット記憶領域に記憶された複数のデータセットの中の所望のパラメータデータを指定手段で指定し、指定手段で指定されたパラメータデータを設定手段で不揮発性メモリに設定し、設定手段により不揮発性メモリに設定されたパラメータデータが編集手段により編集された場合は、該編集手段で編集されたパラメータデータを記憶手段のプリセット領域に保存制御手段により保存するように構成したので、使用環境に応じて最適な初期化データを適用することができ、また、該初期化データをカスタマイズすることにより少ない設定で所望の設定を行うことが可能になるという効果を奏する。
【発明を実施するための最良の形態】
【００２１】
以下、本発明に係わる画像形成装置およびパラメータ制御方法およびパラメータ制御プログラムの一実施例を添付図面を参照して詳細に説明する。
【実施例】
【００２２】
図１は、この発明に係わる画像形成装置およびパラメータ制御方法およびパラメータ制御プログラムを適用して構成したシステム構成図である。
【００２３】
図１において、この画像形成装置は、制御部１００、操作部１０３、画像出力部１０４、保存部１０５、入出力ポート１０６を具備して構成される。
【００２４】
制御部１００は、記憶部１０１、不揮発性メモリ１０２を具備して構成され、画像形成におけるメイン制御を行う。
【００２５】
記憶部１０１は、電気的に消去（書き換え）できるメモリであるＦｌａｓｈ−ＲＯＭ（フラッシュメモリ）などによって構成されており、画像形成を行う制御プログラムと該制御プログラムが参照する複数のパラメータを格納したパラメータセットを記憶している。
【００２６】
不揮発性メモリ１０２は、ＮＶＲＡＭなどによって構成されており、記憶部１０１に格納された制御プログラムによって画像形成の制御が行われる際に参照されるパラメータを格納しておく。
【００２７】
制御部１００は、記憶部１０１に記憶された制御プログラムから不揮発性メモリ１０２に格納されたパラメータを参照して画像形成を行う。画像形成が要求された画像データを出力形式に変換して画像出力部１０４に送出したり、パラメータセットとして記憶されたパラメータを変更するために操作部１０３から入力を受け付けたりする。また、記憶部１０１に記憶されたパラメータセットを入出力ポート１０６を介して接続されている外部の装置に出力したり、逆に外部の装置によって作成されたデータを受け付けて、該データによってパラメータを更新したりすることもできる。さらにはあらかじめ設定した内容に基づいて外部の装置によって自動的に更新することも可能である。
【００２８】
このとき外部の装置としてホストコンピュータが接続されている場合にはそのホストコンピュータを介してパラメータセットを他の画像形成装置に適用することも可能である。これにより同一のパラメータセットを複数の画像形成装置で保持することが可能となる。
【００２９】
操作部１０３は、制御部１００の記憶部１０１に記憶されているプリセット領域のパラメータを操作する。
【００３０】
画像出力部１０４は、制御部１００によって制御された画像データの出力を行う。
【００３１】
保存部１０５は、制御部１００で制御を行う画像データを保存しておく。
【００３２】
入出力ポート１０６は、外部の装置と接続を行うポートである。外部の装置としてホストコンピュータなどが接続されている場合には、ホストコンピュータでパラメータの値を設定して記憶部１０１に記憶されているパラメータセットを更新することも可能である。
【００３３】
このような構成によれば、記憶部１０１に記憶されたパラメータセットを操作部１０３から所望の設定に変更でき、外部の装置からも更新することができる。これによって複数の画像形成装置に同じ内容の設定を反映することが容易に行える。
【００３４】
図２は、この発明に係わる画像形成装置の２つの記憶領域におけるアドレスマップを示す図である。
【００３５】
図２には、図１に示す記憶部１０１と不揮発性メモリ１０２のアドレスマップを示しており、図２（ａ）は、前記記憶部１０１の構造を示す図であり、図２（ｂ）は、図２（ａ）に示した構造のうちの一部を詳細表示した図であり、図２（ｃ）は、前記不揮発性メモリ１０２を示す図である。
【００３６】
図２（ａ）は、メインプログラム２００、空きセクタ、プリセット領域２０１を具備して構成され、メインプログラム２００は、画像形成における制御プログラムが格納されている格納領域である。
【００３７】
プリセット領域２０１は、製品の工場出荷時に設定されている値を格納する領域であり、複数のパラメータによって構成されるパラメータの設定値（以下、「初期化パラメータセット」という）が格納されている。この初期化パラメータセットの１つ１つは、デフォルト用紙サイズ、デフォルト紙質、パネル表示言語、デフォルト給紙トレイ、デフォルト排出トレイ、デフォルト解像度、コピー部数、節電モードスイッチ、ＩＰ（Internet Protocol）アドレス、サブネットマスク、ゲートウェイアドレスなどのパラメータによって構成されている。
【００３８】
例えば、初期化パラメータセットの１つである「Sys(for Japan)」のパラメータは次のように構成されている。
【００３９】
１．デフォルト用紙サイズ−[Ａ４]
２．デフォルト紙質−[Light]
３．パネル表示言語−[Japanese]
４．デフォルト給紙トレイ−[2]
５．デフォルト排出トレイ−[3]
６．デフォルト解像度−[600dpi]
７．コピー部数−[20]
８．節電モードスイッチ−[ON]
９．ＩＰ（Internet Protocol）アドレス−[192.168.0.1]
１０．サブネットマスク−[255.255.255.0]
１１．ゲートウェイアドレス−[192.168.0.254]
・・・
また「Sys(for USA)」は、１．デフォルト用紙サイズとして[レター]、２．デフォルト紙質として[Heavy]、３．パネル表示言語として[English]といったように設定されており、「Sys(for France)」は、１．デフォルト用紙サイズとして[Ａ４]、２．デフォルト紙質として[Heavy]、３．パネル表示言語として[French]といったように設定されている。
【００４０】
図２（ｂ）は、プリセット領域２０１の詳細を示す図であり、システム領域２０２、ユーザ領域２０３を具備し、システム領域２０２にはさらにインデックス情報領域２０４を具備して構成される。
【００４１】
システム領域２０２は、システムによってあらかじめ設定した初期化パラメータセットを格納する領域であり、格納されている初期化パラメータセットをユーザが書き換えることはできない。そしてユーザ領域２０３は、ユーザによってカスタマイズされた初期化パラメータセットを格納する領域であり、格納されている初期化パラメータセットは図１に示す操作部１０３からの入力操作などによって書き換えることができる。
【００４２】
システム領域２０２に格納されたインデックス情報領域２０４は、システム領域２０２、ユーザ領域２０３に格納された初期化パラメータセットのうちのいずれか１つを格納する領域であり、画像形成の制御に使用する初期化パラメータセットを指定する。
【００４３】
図２（ｃ）は、インデックス情報領域２０４に格納されている初期化パラメータセットが持つ複数のパラメータを展開する作業領域２０５であり、展開されたパラメータをメインプログラム２００から参照することにより画像形成の制御を行う。
【００４４】
次に、プリセット領域２０１に格納された初期化パラメータセットをユーザの所望する設定にカスタマイズする手順を示す。
【００４５】
プリセット領域２０１には初期状態としてシステム領域２０２にのみ初期化パラメータセットが格納されている。つまり、ユーザ領域２０３には初期化パラメータセットがまったく格納されていない状態である。さらにインデックス情報領域２０４にはデフォルトデータとしてあらかじめ指定したシステム領域２０２に格納されている初期化パラメータセットが設定されている。
【００４６】
この状態において、図１に示す操作部１０３から制御プログラムから参照されるパラメータの初期化処理（以下、「パラメータ初期化処理」）を実行するとインデックス情報領域２０４に格納されたデフォルトデータである初期化パラメータセットの複数のパラメータが不揮発性メモリ１０２である作業領域２０５に複製される。
【００４７】
例えば、システム領域２０２に初期化パラメータセットとしてインデックスが「０（ゼロ）」である「Sys(for Japan)」、インデックスが「１」である「Sys(for USA)」、インデックスが「２」である「Sys(for UK)」、インデックスが「３」である「Sys(for France)」、インデックスが「４」である「Sys(for German)の５つが格納されており、インデックス領域２０４のデフォルトデータとしてインデックスが「０」である「Sys(for Japan)」が格納されている場合にパラメータ初期化処理を実行すると、「Sys(for Japan)」を構成するパラメータ（上記）が不揮発性メモリ１０２に複製される。
【００４８】
複製されたパラメータを図１に示す操作部１０３からの操作を受け付けて作業領域２０５に複製されたパラメータを変更する。このとき、複製されたパラメータを個々に変更することができる。これによって制御プログラムから参照されるパラメータをカスタマイズすることができる。
【００４９】
さらに、作業領域２０５上でカスタマイズされた初期化パラメータセットを保存するには、操作部１０３によってパラメータを保存する処理（以下、「パラメータ保存処理」という）を実行することによってプリセット領域２０１のユーザ領域２０３に保存することができる。
【００５０】
パラメータ保存処理は、保存する初期化パラメータセットをユーザ領域のどの位置に保存するか選択し、パラメータを指定した位置に複製する。
【００５１】
例えば、保存する位置としてユーザ領域２０３のインデックスが「５」である「Usr(for Home)」を選択すると作業領域２０５のパラメータすべてを「Usr(for Home)」の位置に複製する。このようにすることによって、カスタマイズした初期化パラメータセットを保存することができる。
【００５２】
なお、上記例では全てのパラメータを保存するような構成にしているが、カスタマイズされたパラメータのみを保存するような構成にしても良い。この場合にはカスタマイズする元となった初期化パラメータセットのインデックスを同時に保存する。
【００５３】
そして、各環境に応じた複数の初期化パラメータセットから特定の初期化パラメータセットを適用したい場合には操作部１０３からインデックス情報領域２０４を変更する処理（以下、「インデックス変更処理」という）を行う。これによってインデックス情報領域２０４に格納された初期化パラメータセットが更新され、この状態からパラメータ初期化処理を実行することにより更新された初期化パラメータセットのパラメータが作業領域２０５に複製される。
【００５４】
以上に示す処理を行うことによって所望の初期化パラメータセットが持つパラメータを制御プログラムに適用することができ、またカスタマイズされた初期化パラメータセットを保存することができる。
【００５５】
図３は、従来技術における出荷作業の流れを示す図である。
【００５６】
図３においては、画像形成装置の制御プログラム内に組み込まれた一種類の初期化パラメータセットを用いて出荷する流れを示す図である。
【００５７】
図３には、出荷先がＡである場合の制御プログラム３０１−Ａ、出荷先がＢである場合の制御プログラム３０１−Ｂ、出荷先がＣである場合の制御プログラム３０１−Ｃ、画像形成装置３０２、出荷先Ａ用の画像形成装置３０３−Ａ、出荷先Ｂ用の画像形成装置３０３−Ｂ、出荷先Ｃ用の画像形成装置３０３−Ｃが示されている。
【００５８】
制御プログラム内に初期化パラメータセットを１つしか組み込むことができない場合には、図３に示すように出荷先ごとに制御プログラムを開発し、それを組み込むことによって出荷している。
【００５９】
図４は、本発明を適用した出荷作業の流れを示す図である。
【００６０】
図４において、全ての出荷先に共通の制御プログラム４０１、図２で説明したプリセット領域データ４０２、画像形成装置４０３、共通の制御プログラム４０１を適用した画像形成装置４０４、出荷先ごとに初期化を行って画像形成装置４０４の在庫管理を行う共通画像形成装置在庫管理システム４０５、出荷先ごとにパラメータを設定した画像形成装置４０６が示されている。
【００６１】
画像形成装置の制御プログラム４０１とプリセット領域のデータ４０２をあわせて画像形成装置４０３に適用して製造された画像形成装置４０４を共通画像形成装置在庫管理システム４０５で管理する。出荷先ごとに共通画像形成装置在庫管理システム４０５でプリセット領域データ４０２を図２に示した方法で設定し、出荷先ごとに図２に示すインデックス情報領域２０４を設定すればよい。
【００６２】
このようにすることによって、御プログラムを出荷先ごとに開発するのではなく、プリセット領域のデータ４０２の設定を変更することのみによって出荷先ごとに最適な画像形成装置を出荷することができる。
【００６３】
図５は、図１の操作部１０３を用いてパラメータの設定を行う流れを示すフローチャートである。
【００６４】
図５において、画像形成装置の電源を入力すると処理が開始され、図１に示す不揮発性メモリ１０２に展開されているパラメータのうち画像形成装置を設定するにあたって変更するパラメータが存在するか判定し（Ｓ５０１）、変更するパラメータが存在する場合（Ｓ５０１でＹＥＳ）には図１に示す操作部１０３を用いてパラメータを所望の値に変更して再度変更するパラメータが存在するか判定する。
【００６５】
判定した結果、変更するパラメータが存在しない場合または存在しなくなった場合（Ｓ５０１でＮＯ）には、不揮発性メモリ１０２に展開されている複数のパラメータを初期値パラメータセットとして図１に示す記憶部１０１のプリセット領域に保存するか判定し（Ｓ５０２）、現在のパラメータを保存する場合（Ｓ５０２でＹＥＳ）には、操作部１０３からプリセット領域のインデックス番号を指定し、指定したインデックス番号を持つ領域に複数のパラメータを初期値パラメータセットとして保存する（Ｓ５０４）。
【００６６】
また、現在のパラメータを保存しない場合（Ｓ５０２でＮＯ）と保存（Ｓ５０４）が終了した後、続いて図２に示すインデックス情報領域２０４の初期値パラメータセットを更新するか判断し（Ｓ５０５）、更新する場合（Ｓ５０５でＹＥＳ）には、更新する初期値パラメータセットが格納されたプリセット領域のインデックス番号を指定して、指定されたインデックス番号の初期値パラメータセットをインデックス情報領域２０４に複製（更新）する（Ｓ５０６）。また、更新しない場合（Ｓ５０５）にはそのまま処理を終了する。
【００６７】
以上の処理によって、本発明では、所望のパラメータを簡単に設定することができ、また設定したパラメータを初期化データセットとして保存することができる。さらに、保存した初期化データセットを外部のホストコンピュータから更新することができる。
【００６８】
これによって、ユーザの使用環境によって最適なパラメータを容易に設定することが可能となり、設定したパラメータを初期化パラメータセットとして保存してホストコンピュータで更新することができるため複数の画像形成装置で同じ初期化パラメータを適用することが可能となる。
【００６９】
従って、本発明を適用することにより、複数の出荷先に画像形成装置を出荷する場合にそれぞれの出荷先に合わせた設定を簡単に行うという効果を期待でき、それによって生産効率の向上や開発効率の向上を期待できる。
【００７０】
なお、上記フローチャートに示す処理は、コンピュータにより実行可能な画像形成プログラムによっても実現できる。
【００７１】
本発明は、上記し、且つ図面に示す実施例に限定することなく、その要旨を変更しない範囲内で適宜変形して実施できるものである。
【産業上の利用可能性】
【００７２】
本発明は、パラメータを参照して画像制御を行う画像形成装置およびパラメータ制御方法およびパラメータ制御プログラムに適用可能であり、特に、複数のパラメータの設定内容を保持してユーザの使用環境に合わせたパラメータを適用するのに有用である。
【図面の簡単な説明】
【００７３】
【図１】この発明に係わる画像形成装置およびパラメータ制御方法およびパラメータ制御プログラムを適用して構成したシステム構成図。
【図２】この発明に係わる画像形成装置の２つの記憶領域におけるアドレスマップを示す図。
【図３】従来技術における出荷作業の流れを示す図。
【図４】本発明を適用した出荷作業の流れを示す図。
【図５】図１の操作部を用いてパラメータの設定を行う流れを示すフローチャート。
【符号の説明】
【００７４】
１００      制御部
１０１      記憶部
１０２      不揮発性メモリ
１０３      操作部
１０４      画像出力部
１０５      保存部
１０６      入出力ポート
２００      メインプログラム
２０１      プリセット領域
２０２      システム領域
２０３      ユーザ領域
２０４      インデックス情報領域
２０５      作業領域
【図１】
2006076009.tif 000003
【図２】
2006076009.tif 000004
【図３】
2006076009.tif 000005
【図４】
2006076009.tif 000006
【図５】
2006076009.tif 000007